(57)【特許請求の範囲】
【請求項１】
穀稈の供給口１を設けた入口側板２と藁の排藁口３を設けた出口側板４とを後側板５に連結し、さらに、下側には選別網６を張設し上側には開閉自由の扱胴カバ−７を設けて構成した扱室８に扱胴９を軸架して設け、前記出口側板４の排藁口３の上側部分に一端部を固着して後部側方まで延長して中間部を機体１０の主フレ−ム１１に連結して構成し、他端部を機体１０の後方に立設したグレンタンク１２の穀粒揚穀筒１３に連結した連結フレ−ム１４を設けて構成し、前記主フレ−ム１１は、前記後側板５の外側に沿わせて穀稈、排藁の搬送方向上手側に向けて延長し、始端部に前記入口側板２の後端部を固着するように構成したことを特徴とする脱穀機の補強フレ−ム装置。
【発明の詳細な説明】
【０００１】
【産業上の利用分野】
本発明は、脱穀機の補強フレ−ム装置に関し、コンバインの脱穀装置に利用するものである。
【０００２】
【従来の技術】
従来の脱穀機にあって、排藁を扱室から機外に排出する排藁口を形成した出口側板は、排藁口の上側部分がオ−バ−ハングした状態になり、さらに、この部分に、扱胴軸によって扱胴を軸架した構成になっている。そのため、出口側板は、全体の強度を確保するために古くは「力金」と呼ぶ補強部材を設けて補強する構成を採用していた。
【０００３】
そして、排藁口の外側部分は、開放された状態にあり、その上方から排藁チエンを後方の機外に延長する構成になっている。
【０００４】
【発明が解決しようとする課題】
脱穀装置の出口側板は、排藁口が切り込まれた状態に形成されているためにオ−バ−ハングの状態になる排藁口の上側板部分に、扱胴を軸受しているから強度上きわめて弱く長期間の使用に耐えられない問題点があった。そこで、出口側板は、いろいろと複雑な補強手段を用いることがあった。さらに、グレンタンクから穀粒を排出する穀粒揚穀筒は、上部に、上下回動とグレンタンクや脱穀装置の上方を旋回する長い穀粒排出オ−ガ−を連結支持する構成であるから、安定性を確保するために強固に固定支持する必要があった。
【０００５】
そして、脱穀装置の出口側板は、扱室から出た外側が空間部分になっており、その上方位置に排藁チエンの始端部分がある構成であるから、扱室から送り出された排藁は、上側から押圧力が無くなり一挙に開放されるから、排藁チエンに達するまでに乱れて上側の回転軸に絡みつく等して事後の搬送装置作用に支障を起こす問題点を抱えている。
【０００６】
【課題を解決するための手段】
本発明は、上述の如き課題を解決するために次の如き技術手段を講ずるものである。すなわち、穀稈の供給口１を設けた入口側板２と藁の排藁口３を設けた出口側板４とを後側板５に連結し、さらに、下側には選別網６を張設し上側には開閉自由の扱胴カバ−７を設けて構成した扱室８に扱胴９を軸架して設け、前記出口側板４の排藁口３の上側部分に一端部を固着して後部側方まで延長して中間部を機体１０の主フレ−ム１１に連結して構成し、他端部を機体１０の後方に立設したグレンタンク１２の穀粒揚穀筒１３に連結した連結フレ−ム１４を設けて構成し、前記主フレ−ム１１は、前記後側板５の外側に沿わせて穀稈、排藁の搬送方向上手側に向けて延長し、始端部に前記入口側板２の後端部を固着するように構成したことを特徴とする脱穀機の補強フレ−ム装置である。
【０００７】
【実施例】
まず、その構成について述べる。
扱室８は、一側に穀稈の供給口１を開口した入口側板２を設け、他側には脱穀後の藁を排出するための排藁口３を開口した出口側板４を設け、これら入口側板２と出口側板４との後端部を後側板５に固着し、下側には選別網６を着脱可能に張設し、上側には開閉自由の扱胴カバ−７を設けて構成している。なお、選別網６は、網枠レ−ルに挿脱自由に差し込んでおり、必要に応じてメンテナンスができる構成にしている。さらに、扱胴カバ−７は、後側板５側を枢着して前側が上方に開放できる構成としている。
【０００８】
そして、扱胴９は、その外周面に扱歯１７を設け、扱室８内において前記入口側板２と出口側板４とのそれぞれ上側部分に扱胴軸１８によって駆動可能に軸受している。
フィ−ドチエン１９は、供給口１と排藁口３とを連通させて形成した穀稈の通路である扱口２０に沿わせて扱室８の外側に巻回し、穂先部分を扱室８に供給した穀稈の株元部分を挾持して出口側板４の方向に搬送する構成としている。
【０００９】
排塵口２１は、前述の通り扱室８の底部に張設した選別網６の終端部（出口側板４側）を開口して形成し、扱室８において選別網６から漏下せずに扱胴９によって持ち回られながら下手側に移送されて扱室８終端部に達した排塵物を下方の選別室２２に排塵する構成としている。
そして、扱室８は、扱口２０の上側部において入口側板２と出口側板４との先端部分を連結杆２３によって連結しており、扱口２０の下側部分は前板２４によって連結している。さらに、扱室８は、入口側板２と出口側板４との間において出口側板４側に寄った位置で後端部を後側板５に固着し、前端部を前板２４と一体とした補強枠２６（後述する縦枠２８）に連結固定した中連結板２５によって強固に枠組みして構成している。
【００１０】
そして、補強枠２６は、上下にある横枠２７，２７’と左右の縦枠２８，２８’とを四辺として一体に枠組みして前板２４と排塵側板２９とに連結している。そして、連結部材３０は、出口側板４から下手方向の排藁側に隔たった部位において、一端を後側板５に固着し、他端部を前側の補強枠２６の縦枠２８’に固着して一体的に枠組み構成している。
【００１１】
主フレ−ム１１は、始端部に入口側板２の後端部を固着し、後側板５の外側に沿わせて穀稈、排藁の搬送方向に向けて延長し、中間部分を連結部材３０の端部を連結固定しており、さらに、機体１０の後部側方まで延長して機枠３１に固定している。
そして、排藁チエン１５は、扱胴カバ−７を排藁搬送方向に延長して一体構成した排藁部カバ−３３に回転駆動可能に軸受支持している。
【００１２】
連結フレ−ム１４は、一端を出口側板４の排藁口３の上側に固着し、前記排藁チエン１５に沿わせて延長し、中間部を主フレ−ム１１に固定し、さらに側方に延長してグレンタンク１２の穀粒揚穀筒１３に固着して構成している。そして、連結フレ−ム１４は、出口側板４に取り付けた始端部から一定長さを順次上方の排藁チエン１５の高さまで徐々に湾曲しながら持ち上げて排藁案内部１６を形成し、さらに、所定部分を排藁チエン１５に沿わせて搬送方向に延長している。
【００１３】
つぎに、選別室２２の構成について説明する。
揺動選別棚３４は、選別方向の上手側から順番に、移送棚３５と、グレンシ−ブ３６と、ストロ−ラック３７とから構成し、扱室８から落下してきた未処理物を揺動作用によって選別処理するように選別室２２内の上部に揺動可能に架設している。そして、選別室２２は、その下側に上手側から圧風唐箕３８、一番移送螺旋３９、二番移送螺旋４０の順番で装置している。
【００１４】
そして、掃除口４１は、排藁チエン１５の始端部分の下方で前記揺動選別棚３４のグレンシ−ブ３６の上方位置であって、前述した縦枠２８，２８’と横枠２７，２７’によって囲われた範囲内に開口して選別室２２の内部を清掃する構成としている。４２は掃除口４１の蓋を示す。
掃除口４１は、開口部分の周囲が補強枠２６によって囲まれた状態に強固に構成されているから、掃除口４１の穿設によって機体の強度が損なわれることはない。
【００１５】
そして、実施例の構成における燃料タンク４３は、排藁チエン１５の下方に装備した排塵装置４４の下側空間部に設け、側方に延長した給油管４５によって燃料を補給できる構成としている。なお、給油管４５は、上方から藁屑が落下する場所であるから、樹脂性のカバ−４６を設けて防塵作用を行う構成としている。
次にその作用について説明する。
【００１６】
まず、適宜の原動機を介して、脱穀機に回転動力を伝達すると、機体の回転各部は、駆動され作業ができる態勢となる。
そして、供給された穀稈は、株元がフィ−ドチエン１９に挟扼されて搬送されながら穂先部分が穀稈の供給口１１から扱室２内に供給されて回転している扱胴９によって脱穀作用を受ける。このようにして、穀稈は、フィ−ドチエン１９によって連続的に搬送されながら、穂先部分が扱室８に供給されて順次扱口２０を通過して出口側板４側に達し、排藁口３から扱室８の外に送り出される。この脱穀工程において、穀稈は、回転している扱胴９の扱歯１７によって脱穀され、さらに、持ち回られながら脱穀作用が進んで、脱粒されて穀粒を取り除かれた藁が排藁口３から外側に排出される。
【００１７】
扱室８内の脱穀物は、下側周面に張設されている選別網６から漏下して下方の選別室２２に達するものと、さらに、脱粒処理作用を受けるものとに別れる。そして、下手側に持ち回られながら移送される脱穀物は、選別網６の終端部の排塵口２１に達すると、下方の選別室２２に落下して揺動選別棚３４上に至る。
このように選別室２２に達した被選別物は、揺動作用を続けている揺動選別棚３４と、圧風唐箕３８によって起風されてくる選別風とによって選別作用を受け一番穀粒、二番物、排塵物とに選別分離される。そして、一番穀粒は、一番移送螺旋３９から図外の一番揚穀装置を介してグレンタンク１２に搬送されて貯留される。そして、二番物は、二番移送螺旋４０に集められて一側に送られ、図外の二番揚穀装置の始端部に流入して順次揚穀されて揺動選別棚３４上に還元されて再処理されるものである。そして、三番物は、排塵装置４４に吸引されて機外に排塵されるものである。
【００１８】
一方、脱穀作用が完了して扱室８から排藁口３を経て室外に出た排藁は、排藁口３の外側でその排藁口３のすぐ上側に始端部が位置する連結フレ−ム１４の排藁案内部１６に接触して上側から押さえられながら順次排藁チエン１５の始端部方向に案内される。この部分における排藁は、扱室８内では上側にある扱胴９によって押圧されているから、圧縮された状態のまま排藁口３から室外に送り出される。そのために、排藁は、急激に膨張して上方に広がろうとするが、その位置に上側から前述のとおり排藁案内部１６があるから、これに押さえられて一挙に膨張して上側の回転軸に巻きついて乱れることがなく、順次案内されながら排藁チエン３２の始端部に達するものである。
【００１９】
そして、排藁は、乱れることなく整然とした状態で排藁チエン３２に係止されて機外に搬出される。
このように脱穀作用を行う機体１０は、主フレ−ム１１や連結フレ−ム１４によって全体が強固に枠組みされており破損することなく長期間の使用に耐えることができる。そして、連結フレ−ム１４は、出口側板４の、特に、排藁口３の上側部分を強固に保持しており、扱胴９を軸受しても重量に耐えることができる。
【００２０】
さらに、連結フレ−ム１４は、グレンタンク１２の穀粒揚穀筒１３を支えており、穀粒の排出時にその穀粒揚穀筒１３の上部に連結した穀粒排出オ−ガ−が旋回して重心の移動が発生してもそれに十分に耐えて強固に保持できる。
【００２１】
【発明の作用効果】
以上説明したように本発明は、穀稈の供給口１を設けた入口側板２と藁の排藁口３を設けた出口側板４とを後側板５に連結し、さらに、下側には選別網６を張設し上側には開閉自由の扱胴カバ−７を設けて構成した扱室８に扱胴９を軸架して設け、前記出口側板４の排藁口３の上側部分に一端部を固着して後部側方まで延長して中間部を機体１０の主フレ−ム１１に連結して構成し、他端部を機体１０の後方に立設したグレンタンク１２の穀粒揚穀筒１３に連結した連結フレ−ム１４を設けて構成し、前記主フレ−ム１１は、前記後側板５の外側に沿わせて穀稈、排藁の搬送方向上手側に向けて延長し、始端部に前記入口側板２の後端部を固着するように構成したものであるから、扱胴を軸受支持している出口側板を補強して耐久性に富む装置とすることができると共に、グレンタンクの穀粒揚穀筒を確実に保持しているから、上部で穀粒排出オ−ガ−が旋回して重心の変動があっても穀粒揚穀筒を確実に支えることができる特徴を有する。
【００２２】
さらに、排藁案内部は、扱室から室外に排出された排藁を上側から押さながら案内して排藁の乱れを防止し、整然とした状態で排藁チエンの始端部に受け継がせることができる特徴を有するものである。
【図面の簡単な説明】
【図１】本発明の一実施例であって、切断平面図である。
【図２】本発明の一実施例であって、切断側面図である。
【図３】本発明の一実施例であって、一部の背面図である。
【符号の説明】
１…供給口、２…入口側板、３…排藁口、４…出口側板、５…後側板、６…選別網、７…扱胴カバ−、８…扱室、９…扱胴、１０…機体、１１…主フレ−ム、１２…グレンタンク、１３…穀粒揚穀筒、１４…連結フレ−ム、１５…排藁チエン、１６…排藁案内部。
【図１】
0003550749.tif 000002
【図２】
0003550749.tif 000003
【図３】
0003550749.tif 000004